(57)【要約】【課題】周囲に同一の識別名（デバイスネーム）を有する他の無線通信可能なデバイスが存在している場合でも、携帯端末と接続しようとする無線通信装置との間の接続を適切に行うことができる無線通信装置を提供すること。【解決手段】接続要求のなされたデバイスと接続して、前記接続要求のなされたデバイスと無線通信を行う無線通信装置であって、前記無線通信装置を、識別するための自己識別名を記憶する記憶手段と、前記無線通信装置の周囲に存在する他のデバイスの識別名を検出する検出手段と、検出した前記他のデバイスの識別名と、前記自己識別名とを比較する比較手段と、前記比較手段による比較の結果、前記他のデバイスの有する識別名と、前記自己識別名とが同一である場合に、自己識別名を変更する変更手段と、前記変更手段により変更された変更後の自己識別名を、前記接続要求のなされたデバイスに対して、送信する送信手段と、を備える無線通信装置。【選択図】  図４
2010166121.tif 000002
【特許請求の範囲】
【請求項１】
接続要求のなされたデバイスと接続して、前記接続要求のなされたデバイスと無線通信を行う無線通信装置であって、
前記無線通信装置を、識別するための自己識別名を記憶する記憶手段と、
前記無線通信装置の周囲に存在する他のデバイスの識別名を検出する検出手段と、
検出した前記他のデバイスの識別名と、前記自己識別名とを比較する比較手段と、
前記比較手段による比較の結果、前記他のデバイスの有する識別名と、前記自己識別名とが同一である場合に、自己識別名を変更する変更手段と、
前記変更手段により変更された変更後の自己識別名を、前記接続要求のなされたデバイスに対して、送信する送信手段と、を備える無線通信装置。
【請求項２】
前記検出手段は、前記他のデバイスの識別名および識別アドレスを検出し、
前記変更手段は、前記比較手段による比較の結果、前記他のデバイスの有する識別名と、前記自己識別名とが同一である場合に、前記他のデバイスの識別アドレスと自己の識別アドレスに応じて、自己識別名を変更する請求項１に記載の無線通信装置。
【請求項３】
前記変更手段は、前記他のデバイスの識別アドレスと、自己の識別アドレスとの大小関係に応じて、自己識別名の変更度合いを決定する請求項２に記載の無線通信装置。
【請求項４】
前記検出手段により、前記他のデバイスが識別名の変更制御を行う旨の信号を検出した場合には、該他のデバイスの変更後の識別名を検出した後に、自己識別名の変更を行う請求項１に記載の無線通信装置。
【請求項５】
前記変更手段により変更された変更後の自己識別名を表示装置に出力するための出力手段をさらに有する請求項１〜４のいずれかに記載の無線通信装置。
【請求項６】
接続要求のなされたデバイスと無線通信装置とを無線接続する方法であって、
前記無線通信装置の周囲に存在する他のデバイスの識別名と、前記無線通信装置の識別名を比較し、
前記他のデバイスの識別名と、前記無線通信装置の識別名とが同一である場合に、前記無線通信装置の識別名を変更し、変更後の識別名を、前記接続要求のなされたデバイスに送信する無線接続方法。
【発明の詳細な説明】
【技術分野】
【０００１】
本発明は、無線通信装置および無線接続方法に関するものである。
【背景技術】
【０００２】
従来より、Bluetooth規格（「Bluetooth」は登録商標）を用いた無線通信が用いられている。このようなBluetooth規格を用いた無線通信において、携帯端末と、車載装置などの無線通信装置とを接続する際には、まず、携帯端末を用いて、接続しようとする無線通信装置を含む携帯端末の周囲に存在する無線通信可能なデバイスの検索を行い、検索の結果、検出された１または２以上の無線通信可能なデバイスのデバイスネーム（識別名）を携帯端末に表示させる。そして、表示されたデバイスネームから接続しようとする無線通信装置のデバイスネームを選択し、これにより、携帯端末と無線通信装置との接続が行われる（たとえば、特許文献１参照）。
【先行技術文献】
【特許文献】
【０００３】
【特許文献１】特開２００４−１４０７３１号公報
【発明の概要】
【発明が解決しようとする課題】
【０００４】
しかしながら、接続しようとする無線通信装置や、その他の無線通信可能なデバイスのデバイスネームは任意に設定可能であるため、上記従来技術では、携帯端末の周囲に、接続しようとする無線通信装置と同一のデバイスネームを有する他のデバイスが存在する場合があり、このような場合に、接続しようとする無線通信装置を特定することが困難であった。
【０００５】
本発明が解決しようとする課題は、周囲に同一の識別名（デバイスネーム）を有する他の無線通信可能なデバイスが存在している場合でも、携帯端末と接続しようとする無線通信装置との間の接続を適切に行うことができる無線通信装置および無線接続方法を提供することである。
【課題を解決するための手段】
【０００６】
本発明は、接続要求のなされたデバイスと無線通信装置とを無線接続する際に、前記無線通信装置の周囲に存在する他のデバイスの識別名と、前記無線通信装置の識別名を比較し、前記他のデバイスの識別名と、前記無線通信装置の識別名とが同一である場合に、前記無線通信装置の識別名を変更し、変更後の識別名を、前記接続要求のなされたデバイスに送信することにより、上記課題を解決する。
【発明の効果】
【０００７】
本発明によれば、周囲に同一の識別名を有する他の無線通信可能なデバイスが存在している場合に、識別名の変更を行うことにより、接続しようとする無線通信装置の特定を容易にすることができ、これにより、携帯端末と接続対象となる無線通信装置との接続を適切に行うことができる。
【図面の簡単な説明】
【０００８】
【図１】図１は、本実施形態に係る車載装置１の全体構成を示すブロック図である。
【図２】図２は、本実施形態の無線通信装置２による無線通信動作を説明するための一場面例を示す図である。
【図３】図３は、第１実施形態における、無線通信装置２の動作を説明するためのフローチャートである。
【図４】図４は、第１実施形態における、無線通信装置２、携帯端末３および他の無線通信装置２ａ〜２ｄの動作の流れを示すシーケンス図である。
【図５】図５は、図２に示す場面例において、本実施形態の処理が行われた後の場面を示す図である。
【図６】図６は、第２実施形態の無線通信装置２の動作を説明するためのフローチャートである。
【図７】図７は、第２実施形態における、無線通信装置２、携帯端末３および他の無線通信装置２ａ〜２ｄの動作の流れを示すシーケンス図である。
【発明を実施するための形態】
【０００９】
≪第１実施形態≫
以下、本発明の第１実施形態を図面に基づいて説明する。
図１は本実施形態に係る車載装置１の全体構成を示すブロック図である。車載装置１は、図１に示すように、操作スイッチ１１、ディスプレイ１２、および無線通信装置２を備えている。そして、本実施形態の車載装置１は、無線通信装置２を介して、車載装置１周辺に存在する携帯端末３と互いに無線通信可能となっており、携帯端末３とともに無線通信システムを構築する。このような本実施形態の車載装置１としては、たとえば、ナビゲーション装置などが挙げられる。
【００１０】
操作スイッチ１１は、車載装置１の各種機能を実現するために、ユーザが操作するためのスイッチであり、たとえば、無線通信装置２を介した携帯端末３との通信を行う際における各種設定を行うための操作に用いられる他、たとえば、車載装置１がナビゲーション装置である場合には、ユーザの所望する目的地を設定するため等に用いられる。
【００１１】
ディスプレイ１２は、車載装置１の各種機能を実現するための情報をユーザに提示するために用いられ、無線通信装置２を介した携帯端末３との通信を行う際に必要となる情報を提示する他、たとえば、車載装置１がナビゲーション装置である場合には、車両周辺の地図情報や地名情報を表示したり、ユーザの所望する目的地までの経路を表示したりする。
【００１２】
無線通信装置２は、Bluetooth規格（「Bluetooth」は登録商標）に基づく通信方式により、携帯端末３と無線通信するための装置であり、図１に示すように、コントローラ２１、Bluetoothモジュール２２、およびBluetoothアンテナ２３を備えている。なお、本実施形態においては、無線通信装置２と携帯端末３とを接続し、これらの間で無線通信を行うものとし、以下においては、このような場合を例示して説明する。
【００１３】
Bluetoothモジュール２２は、同じくBluetoothモジュールを有する携帯端末３やその他のBluetoothモジュールを有する無線通信可能な機器と、Bluetoothアンテナ２３を介して、無線通信（Bluetooth通信）を行うための装置であり、Bluetoothモジュールを備えた携帯端末３と接続し、携帯端末３と無線通信することにより、各種情報の送受信を行う。たとえば、携帯端末３がBluetoothモジュールを備えた携帯電話である場合には、携帯電話３と接続し、無線通信することにより、ハンズフリー通話などを行うことができる。なお、Bluetoothアンテナ２３を介して、Bluetoothモジュール２２から携帯端末３やその他の無線通信可能な機器に送信される信号は、コントローラ２１から送信され、そして、Bluetoothモジュール２２は、コントローラ２１からの指令に基づいて、各種信号を送信する。一方、Bluetoothモジュール２２は、Bluetoothアンテナ２３を介して、受信した信号を、コントローラ２１に送信する。
【００１４】
また、Bluetoothモジュール２２は、本実施形態の無線通信装置２を、他のBluetoothモジュールを備えた機器から識別するための固有のデバイスアドレスを記憶している。このデバイスアドレスは、Bluetoothモジュール２２からBluetoothアンテナ２３を介して、携帯端末３やその他の無線通信可能な機器に送信可能となっている。また、一方で、Bluetoothモジュール２２は、周囲に存在する携帯端末３やその他の無線通信可能な機器のデバイスアドレスを受信可能となっている。そして、無線通信装置２と、携帯端末３やその他の無線通信可能な機器とは、互いにデバイスアドレスを送受信することにより、互いに認識可能となっている。
【００１５】
コントローラ２１は、無線通信装置２全体を制御するための制御装置であり、無線通信装置２を制御するための各種プログラムを実行するＣＰＵ（Central Processing Unit）２１１、無線通信装置２を制御するための各種プログラムを格納したＲＯＭ（Read Only Memory）２１２、および自己のデバイスネームを記憶するとともに、アクセス可能な記憶装置として機能するＲＡＭ（Random Access Memory）２１３を有している。
【００１６】
そして、このような構成を有するコントローラ２１は、無線通信装置２を制御するために、以下に説明する各種機能を備えている。すなわち、携帯端末３からのペアリング要求信号（接続要求信号）を入力するための入力機能、他の無線通信可能な機器から自己を識別するためのデバイスネームをＲＡＭ２１３に記憶する記憶機能、他の無線通信可能な機器のデバイスネームを検出する検出機能、他の無線通信可能な機器のデバイスネームとＲＡＭ２１３に記憶している自己のデバイスネームとを比較する比較機能、ＲＡＭ２１３に記憶している自己のデバイスネームを変更する変更機能、および自己のデバイスネームを出力するための出力機能を備える。以下、コントローラ２１に備えられた各機能について、説明する。
【００１７】
コントローラ２１の入力機能は、Bluetoothモジュール２２により、Bluetoothモジュールを有する携帯端末３からのペアリング要求信号を受信した場合に、携帯端末３からのペアリング要求をコントローラ２１に入力するための機能である。なお、無線通信装置２が、Bluetoothモジュール２２を介して携帯端末３と互いに接続し、無線通信を開始して、各種情報の送受信を行うためには、無線通信装置２と携帯端末３との間で、ペアリング（接続設定）を行う必要がある。そして、入力機能によりコントローラ２１に入力されるペアリング要求信号は、このようなペアリングを開始するための信号であり、ペアリング要求信号が入力されることにより、無線通信装置２はペアリングモード（ペアリングを行うための設定モード）に移行する。
【００１８】
コントローラ２１の記憶機能は、無線通信装置２の自己のデバイスネームをＲＡＭ２１３に記憶する機能である。このデバイスネームは、ユーザにより、車載装置１の初期設定時などに設定される任意の識別名であり、上述のBluetoothモジュール２２に記憶されているデバイスアドレスとは別個に設定されるものである。また、通常、本実施形態の無線通信装置２以外のBluetoothモジュールを有する無線通信可能な機器も同様に、ユーザにより設定された任意のデバイスネームをそれぞれ有している。
【００１９】
そして、このようなデバイスネームは、ユーザによって無線通信装置２を識別するために用いられるものであり、たとえば、ユーザにより無線通信装置２と携帯端末３とのペアリングを行う際に用いられる。具体的には、ＲＡＭ２１３に記憶されたデバイスネームは、上述の入力手段により入力された携帯端末３からのペアリング要求信号に基づき、後述する出力手段により、Bluetoothモジュール２２を介して携帯端末３に対して出力される。そして、携帯端末３は、無線通信装置２のデバイスネームを受信し、ユーザが、携帯端末３の表示装置に表示された無線通信装置２のデバイスネームを確認し、これをペアリング対象として選択することにより、ペアリングが行われることとなる。
【００２０】
コントローラ２１の検出機能は、入力機能により、携帯端末３からのペアリング要求信号が入力された場合に、後述する出力手段による携帯端末３へのデバイスネームの出力に先立って、無線通信装置２の周囲に存在する他の無線通信可能な機器の探索を行わせるための指令を、Bluetoothモジュール２２に送出する。そして、これにより、無線通信装置２の周囲に存在する他の無線通信可能な機器の探索が、Bluetoothモジュール２２によって、無線通信により行われる。また、検出機能は、Bluetoothモジュール２２を介した無線通信による探索の結果、無線通信装置２の周囲に、無線通信装置２以外の他の無線通信可能な機器が検出された場合には、検出された他の無線通信可能な機器のデバイスネームを取得する。
【００２１】
コントローラ２１の比較機能は、検出機能により取得した他の無線通信可能な機器のデバイスネームと、ＲＡＭ２１３に記憶されている自己のデバイスネームとを比較し、無線通信装置２の周囲に存在する他の無線通信可能な機器のうち、無線通信装置２のデバイスネームと同じデバイスネームを有する機器があるか否かを判定する。なお、デバイスネームは、通常、ユーザにより、無線通信装置２、および無線通信装置２以外の他の無線通信可能な機器に対して任意に割り当てられるものであり、そのため、各装置のBluetoothモジュールに備えられた各装置の固有の情報であるデバイスアドレスとは異なり、異なる機器であっても、同一のデバイスネームとなる場合がある。そのため、本実施形態の無線通信装置２においては、コントローラ２１の比較機能により、無線通信装置２の周囲に存在する他の無線通信可能な機器のうち、無線通信装置２のデバイスネームと同一のデバイスネームを有する機器が存在するか否かについての判定を行う。
【００２２】
コントローラ２１の変更機能は、比較機能により、無線通信装置２の周囲に存在する他の無線通信可能な機器のうち、ＲＡＭ２１３に記憶されている無線通信装置２の自己のデバイスネームと同一のデバイスネームを有する機器があると判定された場合に、ＲＡＭ２１３に記憶されている自己のデバイスネームを、一時的に変更する。なお、デバイスネームの変更に際しては、現在記憶されているデバイスネームの一部に変更を加えるような態様（たとえば、ＲＡＭ２１３に記憶されている自己のデバイスネームが「Ｍｙ Ｃａｒ」である場合に、「Ｍｙ Ｃａｒ １」や「Ｍｙ Ｃａｒ ２」と変更するような態様）であっても良いし、あるいは、ＲＡＭ２１３に記憶されている現在のデバイスネームと関係なく、ＲＯＭ２１２に予め格納されている複数の変更用デバイスネームの中から選択し、選択したデバイスネームに変更する態様であっても良い。
【００２３】
コントローラ２１の出力機能は、ＲＡＭ２１３に記憶されている自己のデバイスネーム、または、変更機能により自己のデバイスネームが変更された場合には、変更後のデバイスネームを、ペアリング要求信号の送信元である携帯端末３に送信するための指令を、Bluetoothモジュール２２に送出する。そして、これに基づき、Bluetoothモジュール２２は、無線通信により、無線通信装置２のデバイスネームを、携帯端末３へ送信する。さらに、出力機能は、車載装置１に備えられたディスプレイ１２に、携帯端末３へ送信したデバイスネームを表示させるための指令を送出する。そして、これに基づき、車載装置１のディスプレイ１２上に、無線通信装置２から携帯端末３へ送信されたデバイスネームが表示される。これにより、ユーザはディスプレイ１２に表示された無線通信装置２のデバイスネームを確認することができ、無線通信装置２のデバイスネームを、ペアリング相手として携帯端末３の表示画面上で選択することにより、ペアリングを開始させることができる。
【００２４】
次いで、本実施形態の動作を説明する。以下においては、図２に示す一場面例における、本実施形態の無線通信装置２の動作について、図３に示すフローチャートおよび図４に示すシーケンス図を用いて、説明を行う。なお、図２は、本実施形態の無線通信装置２による無線通信動作を説明するための一場面例を示す図、図３は、第１実施形態における、無線通信装置２の動作を説明するためのフローチャート、図４は、第１実施形態における、無線通信装置２、携帯端末３および他の無線通信装置２ａ〜２ｄの動作の流れを示すシーケンス図である。
【００２５】
ここで、図２は、図１に示す車載装置１に備えられた無線通信装置２とペアリングを行うために、Bluetoothモジュールを有する携帯端末３から、ペアリング要求信号が送出された場面例を示している。そして、図２に示すように、携帯端末３とペアリングを行うための無線通信装置２は、デバイスネームが「Ｍｙ Ｃａｒ」であり、また、無線通信装置２の周囲には、デバイスネームが無線通信装置２と同じ「Ｍｙ Ｃａｒ」である複数の他の無線通信装置２ａ〜２ｄが存在している。なお、他の無線通信装置２ａ〜２ｄも同様にBluetoothモジュールを備えるものであり、このような他の無線通信装置２ａ〜２ｄとしては、たとえば、車載装置１以外の車載装置、携帯電話、携帯オーディオ機器などに備えられている無線通信装置などが挙げられる。
【００２６】
まず、図３に示すステップＳ１では、携帯端末３から送出されたペアリング要求信号を、無線通信装置２が、Bluetoothアンテナ２３を介してBluetoothモジュール２２により受信し、コントローラ２１の入力手段により、コントローラ２１にペアリング要求信号が入力される。そして、無線通信装置２は、ペアリング要求信号が入力されたことにより、ペアリングモードに移行する（図４参照）。また、図２に示す場面においては、無線通信装置２以外の周囲に存在する他の無線通信装置２ａ〜２ｄも同様に、携帯端末３から送出されたペアリング要求信号に基づき、ペアリングモードに移行することとなる（図４参照）。
【００２７】
次いで、ステップＳ２では、コントローラ２１にペアリング要求信号が入力されたことに伴い、コントローラ２１の検出機能は、無線通信装置２の周囲に存在する他の無線通信可能な機器の探索を行わせるための指令を、Bluetoothモジュール２２に送出する。そして、Bluetoothモジュール２２は無線通信により、無線通信装置２の周囲に存在する他の無線通信可能な機器の探索を行う。具体的には、Bluetoothモジュール２２は、図４に示すように、まず、他の無線通信可能な機器に対して、他の無線通信可能な機器の有しているデバイスネームを含むデバイス情報を要求するためのデバイス情報要求信号を送信する。次いで、Bluetoothモジュール２２は、デバイス情報要求信号を受信した他の無線通信可能な機器により発信されたデバイスネームを含むデバイス情報を受信する。そして、Bluetoothモジュール２２によって、周囲に存在する他の無線通信可能な機器が検出された場合には、検出された他の無線通信可能な機器のデバイスネームを含むデバイス情報が、Bluetoothモジュール２２からコントローラ２１に送信される。
【００２８】
たとえば、図２に示す場面においては、Bluetoothモジュール２２により送信されたデバイス情報要求信号は、携帯端末３、および周囲に存在する他の無線通信装置２ａ〜２ｄにより受信される。そして、これら携帯端末３、および周囲に存在する他の無線通信装置２ａ〜２ｄは、それぞれ有するデバイスネームを含むデバイス情報を、無線通信装置２に対して送信する（図４参照）。
【００２９】
次いで、ステップＳ３では、コントローラ２１の比較機能により、ステップＳ２で検出された周囲に存在する他の無線通信可能な機器から送信されたデバイス情報のうち、他の無線通信可能な機器の有するデバイスネームと、ＲＡＭ２１３に記憶されている自己のデバイスネームとを比較する。そして、コントローラ２１の比較機能による比較の結果、周囲に存在する他の無線通信可能な機器のうち、ＲＡＭ２１３に記憶されている無線通信装置２の自己のデバイスネームと同一のデバイスネームを有する無線通信可能な機器が検出されたか否かを判断する。その結果、自己のデバイスネームと同一のデバイスネームを有する無線通信可能な機器が検出された場合には、ステップＳ４に進む。一方、それ以外の場合には、ステップＳ５に進む。たとえば、図２に示す場面においては、無線通信装置２の周囲に存在する無線通信装置２ａ〜２ｄのデバイスネームは、全て「Ｍｙ Ｃａｒ」であり、ＲＡＭ２１３に記憶されている無線通信装置２の自己のデバイスネームである「Ｍｙ Ｃａｒ」と同一であるため、ステップＳ４に進むこととなる。
【００３０】
次いで、ステップＳ４では、ステップＳ３において、周囲に存在する他の無線通信可能な機器のなかに、ＲＡＭ２１３に記憶されている無線通信装置２のデバイスネームと同一のデバイスネームを有する無線通信可能な機器が検出されたため、コントローラ２１の変更機能により、ＲＡＭ２１３に記憶されている無線通信装置２の自己のデバイスネームを、一時的に変更する。たとえば、図２に示す場面においては、ＲＡＭ２１３に記憶されている無線通信装置２のデバイスネーム「Ｍｙ Ｃａｒ」と同一のデバイスネームを有する無線通信装置２ａ〜２ｄが検出されているため、コントローラ２１の変更機能は、図５に示すように、無線通信装置２のデバイスネームを、「Ｍｙ Ｃａｒ」から「Ｍｙ Ｃａｒ １」に変更する。なお、図５は、図２に示す場面例において、本実施形態の処理が行われた後の場面を示す図である。
【００３１】
ステップＳ５では、コントローラ２１の出力機能により、無線通信装置２のデバイスネームをペアリング要求信号の送信元である携帯端末３に送信するための指令を、Bluetoothモジュール２２に送出する。そして、これに基づき、Bluetoothモジュール２２は無線通信により、無線通信装置２のデバイスネームを携帯端末３に送信する。なお、ステップＳ５において、無線通信装置２のデバイスネームが変更されている場合には、変更後のデバイスネームが携帯端末３に送信され、それ以外の場合には、ＲＡＭ２１３に記憶されている無線通信装置２のデバイスネームがそのまま携帯端末３に送信される。たとえば、図２および図５に示す場面においては、無線通信装置２のデバイスネームは、「Ｍｙ Ｃａｒ」から「Ｍｙ Ｃａｒ １」に変更されているため、ＲＡＭ２１３に記憶されているデバイスネーム「Ｍｙ Ｃａｒ」ではなく、変更後のデバイスネーム「Ｍｙ Ｃａｒ １」が携帯端末３に送信されることとなる。
【００３２】
ステップＳ６では、コントローラ２１の出力機能により、車載装置１に備えられたディスプレイ１２に、携帯端末３へ送信した無線通信装置２のデバイスネームを表示させるための指令が送出される。そして、これに基づき、ディスプレイ１２上に携帯端末３へ送信したデバイスネームが表示される。また、携帯端末３においても、無線通信装置２から送信された無線通信装置２のデバイスネームが携帯端末３の表示画面上に表示される。そして、ユーザは、ディスプレイ１２上に表示された無線通信装置２のデバイスネームを確認し、携帯端末３の表示画面上に表示された複数のデバイスネームから、無線通信装置２のデバイスネームを選択することにより、無線通信装置２と携帯端末３とのペアリングを行うことができる。
【００３３】
たとえば、図２および図５に示す場面においては、ディスプレイ１２上には、『「Ｍｙ Ｃａｒ １」を選択して下さい。』と表示されることとなり、携帯端末３の表示画面上には、無線通信装置２の変更後のデバイスネームである「Ｍｙ Ｃａｒ １」の他、無線通信装置２の周囲に存在する他の無線通信装置２ａ〜２ｄのデバイスネーム「Ｍｙ Ｃａｒ」も一覧として表示されることとなる。ここで、無線通信装置２の周囲に存在する他の無線通信装置２ａ〜２ｄについても、図４に示すように、無線通信装置２と同様に、携帯端末３からのペアリング要求信号に基づき、ペアリングモードに移行し、携帯端末３とペアリングするために、自己のデバイスネームを送信することとなる。そのため、携帯端末３の表示画面上には、無線通信装置２の変更後のデバイスネームである「Ｍｙ Ｃａｒ １」に加えて、無線通信装置２の周囲に存在する他の無線通信装置２ａ〜２ｄのデバイスネーム「Ｍｙ Ｃａｒ」も表示されることとなる。そして、ユーザは、ディスプレイ１２上に表示された無線通信装置２のデバイスネーム「Ｍｙ Ｃａｒ １」を確認し、携帯端末３の表示画面上に表示された複数のデバイスネームから、無線通信装置２のデバイスネームである「Ｍｙ Ｃａｒ １」を選択することにより、無線通信装置２と携帯端末３とのペアリングを行うことができる。
【００３４】
第１実施形態によれば、無線通信装置２は、携帯端末３からペアリング要求信号を受信した場合に、周囲に存在する他の無線通信可能な機器の探索を行い、周囲に他の無線通信可能な機器が検出された場合には、検出された他の無線通信可能な機器のデバイスネームと、ＲＡＭ２１３に記憶された無線通信装置２の自己のデバイスネームとを比較し、他の無線通信可能な機器のうち、無線通信装置２と同一のデバイスネームを有する機器が検出された場合に、無線通信装置２のデバイスネームを一時的に変更し、変更後のデバイスネームを携帯端末に送信する。そのため、周囲に同一のデバイスネームを有する機器が存在する場合においても、ユーザは、無線通信装置２を容易に特定することができるため、これにより、接続対象となる無線通信装置２との接続を適切に行うことができる。また、無線通信装置２を容易に特定することができることにより、接続対象となる機器を誤って接続してしまうという問題を有効に防止することができる。
【００３５】
≪第２実施形態≫
次いで、本発明の第２実施形態を説明する。本発明の第２実施形態は、上述した第１実施形態の無線通信装置２を有する車載装置１において、以下に説明するように動作する以外は、第１実施形態と同様である。
【００３６】
以下においては、図２に示す一場面例における、第２実施形態の動作について、図６に示すフローチャートおよび図７に示すシーケン図を用いて、説明する。なお、図６は、第２実施形態の無線通信装置２の動作を説明するためのフローチャート、図７は、第２実施形態における、無線通信装置２、携帯端末３および他の無線通信装置２ａ〜２ｄの動作の流れを示すシーケンス図である。
【００３７】
まず、第２実施形態においては、第１実施形態と同様に、携帯端末３から送出されたペアリング要求信号を、無線通信装置２が受信し、コントローラ２１の入力手段により、コントローラ２１にペアリング要求信号が入力されると、図７に示すように、ペアリングモードに移行する（ステップＳ１）。そして、コントローラ２１にペアリング要求信号が入力されたことに伴い、コントローラ２１の検出機能は、周囲に存在する他の無線通信可能な機器の探索、および周囲に存在する他の無線通信可能な機器のデバイスネームの取得を行う（ステップＳ２）。なお、第２実施形態においては、ステップＳ２において、他の無線通信可能な機器の有しているデバイス情報として、デバイスネームの他、デバイスアドレスを含むものを受信する。
【００３８】
次いで、コントローラ２１の比較機能により、ステップＳ２で検出された周囲に存在する他の無線通信可能な機器から送信されたデバイス情報のうち、他の無線通信可能な機器の有するデバイスネームと、ＲＡＭ２１３に記憶されている自己のデバイスネームとを比較し（ステップＳ３）、その結果、自己のデバイスネームと同一のデバイスネームを有する無線通信可能な機器が検出された場合には、ステップＳ３’に進む。一方、それ以外の場合には、ステップＳ５に進む。
【００３９】
ステップＳ３’では、第１実施形態と異なり、ステップＳ４において、ＲＡＭ２１３に記憶されている無線通信装置２の自己のデバイスネームを、一時的に変更するのに先立って、自己のデバイスネームと同一のデバイスネームを有する無線通信可能な機器のデバイスアドレスの確認を行う。なお、周囲に存在する他の無線通信可能な機器のデバイスアドレスは、ステップＳ２において受信した他の無線通信可能な機器のデバイス情報に含まれている。
【００４０】
たとえば、図２に示す場面においては、本実施形態の無線通信装置２のデバイスネームである「Ｍｙ Ｃａｒ」と同一のデバイスネーム「Ｍｙ Ｃａｒ」を有する無線通信装置２ａ〜２ｄにおいても、本実施形態の無線通信装置２と同様の構成を有するものがあり、同一のデバイスネームが検出された場合に、デバイスネームの変更が行われる場合がある（図７参照）。そして、このような場合においては、本実施形態の無線通信装置２と、無線通信装置２ａ〜２ｄとで変更後のデバイスネームとして、同一のデバイスネームを選択してしまう場合も考えられる。そのため、第２実施形態では、ステップＳ３’において、ステップＳ３で検出された同一のデバイスネームを有する他の無線通信可能な機器のデバイスアドレスと、無線通信装置２のデバイスアドレスとの差を確認する。
【００４１】
そして、ステップＳ４において、無線通信装置２のデバイスネームを変更する際に、他の無線通信可能な機器のデバイスアドレスと、無線通信装置２のデバイスアドレスとの大小関係に基づいて、無線通信装置２のデバイスネームの変更度合いを決定し、これに基づき、ＲＡＭ２１３に記憶されている無線通信装置２の自己のデバイスネームを変更する。具体的には、無線通信装置２のデバイスアドレスが、同一のデバイスネームを有する他の無線通信可能な機器のデバイスアドレスよりも大きい場合には、無線通信装置２のデバイスネームの変更度合いを小さくする（たとえば、図２に示す場合において、デバイスネームを「Ｍｙ Ｃａｒ」から「Ｍｙ Ｃａｒ １」に変更する。）。一方、無線通信装置２のデバイスアドレスの方が小さい場合には、無線通信装置２のデバイスネームの変更度合いを大きくする（たとえば、図２に示す場合において、デバイスネームを「Ｍｙ Ｃａｒ」から「Ｍｙ Ｃａｒ ２」や「Ｍｙ Ｃａｒ ３」等に変更する。）。
【００４２】
そして、第１実施形態と同様に、無線通信装置２のデバイスネームをペアリング要求信号の送信元である携帯端末３に送信し（ステップＳ５）、携帯端末３に送信した無線通信装置２のデバイスネームをディスプレイ１２上に表示する（ステップＳ６）。そして、ユーザは、ディスプレイ１２上に表示された無線通信装置２のデバイスネームを確認し、携帯端末３の表示画面上に表示された複数のデバイスネームから、無線通信装置２のデバイスネームを選択することにより、無線通信装置２と携帯端末３とのペアリングを行うことができる。
【００４３】
第２実施形態によれば、上述した第１実施形態における効果に加えて、次の効果を奏する。すなわち、本実施形態の無線通信装置２の周囲に同様の構成を有する（すなわち、同一のデバイスネームが検出された場合に、デバイスネームの変更を行う構成有する）他の無線通信可能な機器が存在する場合であっても、検出された他の無線通信可能な機器のデバイスアドレスを取得し、取得した他の無線通信可能な機器のデバイスアドレスに応じて、ＲＡＭ２１３に記憶された無線通信装置２の自己のデバイスネームを変更する。そのため、無線通信装置２の変更後のデバイスネームが、他の無線通信可能な機器の変更後のデバイスネームと同一のものとなってしまうことを有効に防止することができる。また、第２実施形態よれば、同一のデバイスネームを有する他の無線通信可能な機器が検出された場合に、無線通信装置２は、当該他の無線通信可能な機器がデバイスネームを変更した後に、このデバイスネームと同一とならないように、ＲＡＭ２１３に記憶された無線通信装置２の自己のデバイスネームを変更する方法と比べて、より短時間でデバイスネームの変更制御を行うことができる。
【００４４】
なお、上述した各実施形態において、コントローラ２１の記憶機能は本発明の記憶手段に、コントローラ２１の検出機能は本発明の検出手段に、コントローラ２１の比較機能は本発明の比較手段に、コントローラ２１の変更機能は本発明の変更手段に、コントローラ２１の出力機能およびBluetoothモジュール２２は本発明の送信手段に、それぞれ相当する。
【００４５】
以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４６】
たとえば、上述の第２実施形態においては、周囲に同一のデバイスネームを有する他の無線通信可能な機器が検出された場合に、他の無線通信可能な機器のデバイスアドレスを確認し、これに基づき、無線通信装置２の自己のデバイスネームを変更する構成としたが、他の無線通信可能な機器からデバイスネームの変更制御を行う旨の信号を受信した場合に、当該他の無線通信可能な機器の変更後のデバイスネームを受信するのを待ってから、無線通信装置２の自己のデバイスネームを変更するような構成としてもよい。そして、この場合においては、第２実施形態と同様に、無線通信装置２の変更後のデバイスネームが、他の無線通信可能な機器の変更後のデバイスネームと同一のものとなってしまうことを有効に防止することができる。なお、この場合においては、他の無線通信可能な機器がデバイスネームを変更した結果、無線通信装置２は、自己のデバイスネームを変更する必要が無くなった場合には、無線通信装置２は、自己のデバイスネームを変更しないような構成としても良い。
【符号の説明】
【００４７】
１…車載装置
１１…操作スイッチ
１２…ディスプレイ
２…無線通信装置
２１…コントローラ
２２…Bluetoothモジュール
２３…Bluetoothアンテナ
【図１】
2010166121.tif 000003
【図２】
2010166121.tif 000004
【図３】
2010166121.tif 000005
【図４】
2010166121.tif 000006
【図５】
2010166121.tif 000007
【図６】
2010166121.tif 000008
【図７】
2010166121.tif 000009